(57)【要約】【課題】    出隅部分に丸みをもたせつつ、且つ施工したときに柱から脱落しにくく、外観が良好な巾木を提供する。【解決手段】  本発明に係る巾木は、壁部の下部面に沿って配設される少なくとも二つの巾木部材６，７と、巾木部材６，７の間に介在する出隅部材１０とを備える。出隅部材１０は表面アール形状を有する第一の面１１と、それぞれ巾木部材の端面と当接する第二の面１２および第三の面１３と、柱１の側面２と当接する第四の面１４と、巾木部材６の裏面と当接する第五の面１５とを具備する。出隅部材１０は柱１の側面２と巾木部材６の裏面との間で狭持されるため、柱１から脱落しにくい。また、出隅部材１０の第五の面１５から固定用の釘８が打ち込まれる。第五の面１５は巾木部材６の一部によって覆設されるため、釘目が外部に露見せず、施工したときの外観が良好となる。【選択図】  図１
2006070500.tif 000002
【特許請求の範囲】
【請求項１】
出隅部を有する壁部に取り付けられる巾木であって、
前記壁部の下部面に沿って配設される複数の巾木部材と、
前記出隅部に配設され、前記出隅部で前記巾木部材と当接する出隅部材と、を備え、
前記出隅部材は、
前記壁部に取り付けられたときに外部に露見する面がアール形状を有する第一部と、
前記壁部と前記巾木部材とで露見が阻止される第二部と、を備えたことを特徴とする巾木。
【請求項２】
前記第一部が、
表面アール形状の第一面と、
該第一面に連続し、前記巾木部材の端面にそれぞれ当接する第二の面及び第三の面と、を備え、
前記第二部が、
前記第三の面に面一であり、前記壁部に当接する第四の面と、
前記第四の面に平行であり、且つ前記巾木部材のうち一方の巾木部材の裏面に当接する第五の面と、を備えたことを特徴とする請求項１記載の巾木。
【請求項３】
前記壁部と前記巾木部材との間に更に覆い材を備えた出隅部に取り付けられる巾木であって、
前記第二部が、前記第二の面と平行で且つ前記第四の面および第五の面と連続する第六の面を有し、
前記第六の面が、前記壁部と前記巾木部材との間に設けられる覆い材の端面に当接することを特徴とする請求項２記載の巾木。
【請求項４】
前記出隅部材は、前記第五の面から貫入された固着部材により前記壁部に固定されることを特徴とする請求項２または３記載の巾木。
【請求項５】
出隅部を有する壁部に巾木を取り付ける巾木取付方法であって、
アール形状を有する面を備えた出隅部材を配設する出隅部材配設工程と、
該出隅部材配設工程の後で巾木部材を配設する巾木部材配設工程と、
を備え、前記巾木部材配設工程は、
前記出隅部材のアール形状を有する面を外部に露見させ、且つ、前記出隅部材の前記アール形状を有する面以外の部分を前記巾木部材で隠蔽する工程を含むことを特徴とする出隅部の巾木取付方法。
【請求項６】
前記出隅部材配設工程は、前記アール形状を有する面以外の部分を固着具によって前記壁部に固定してなることを特徴とする請求項５記載の巾木取付方法。
【発明の詳細な説明】
【技術分野】
【０００１】
本発明は、建物の壁部に配設される巾木に係り、特に、出隅部を有する壁部に好適に取り付けられる巾木および巾木取付方法に関する。
【背景技術】
【０００２】
壁や柱などの壁面の床に接する基部は、床から近い位置にあるため、床面の汚れが付着したり、靴などが当たることにより損傷を受けやすい。そこで従来から、このような基部に横板状の巾木を取り付けて、壁面下部の損傷や汚れの付着を防止することが行われていた。このような横板状の巾木を壁面に取り付けた場合、２つの巾木が突き合う出隅部分は角張った形状となってしまう。出隅部分はこのように角張った形状をしているため、物が突き当たりやすく、巾木が損傷しやすいという不都合があった。
【０００３】
このような不都合を解消するために、表面に丸みを持たせた出隅用巾木を出隅部分に施工し、出隅部分を丸い形状とする技術が知られている。例えば、特許文献１には、角部を面取り加工してアール形状としたコーナー用巾木が開示されている。図６は特許文献１に開示されたコーナー用巾木であり、特許文献１の技術では、コーナー用巾木３０の表面角部３０ａに面取り加工を施し、この面取り加工された部分が表面となるように、釘３２を用いて一方の壁面にコーナー用巾木を取り付けている。このとき、コーナー用巾木の一部はコーナー部分から突出するように壁面に取り付けられている。この突出面とコーナー用巾木の端面に２枚の巾木３１の木口をつき合わせて、巾木を壁面に固定している。
【特許文献１】特開２０００−２４０２７２号公報
【発明の開示】
【発明が解決しようとする課題】
【０００４】
特許文献１に開示されたコーナー用巾木を用いることで、出隅部分に丸みを持たせることは可能である。しかしながら、特許文献１で開示されているコーナー用巾木３０は、出隅部分の壁面に釘３２を用いて直接固定されているため、例えば物などがコーナー用巾木３０に衝突するなどしてコーナー用巾木３０の取付方向と逆の向きに力が加わると、コーナー用巾木３０は壁面から脱落してしまうという不都合があった。また、釘目が露見して人目に触れる位置にあるため、見た目の美しさに欠けるという不都合があった。
【０００５】
本発明は、上記事情に鑑みてなされたものであって、その目的は、出隅部分に丸みを持たせ、且つ壁面に取り付けたときに脱落しにくく、更に取付後に釘目が露見せず、外観が良好な巾木を提供することにある。
【課題を解決するための手段】
【０００６】
上記課題は、請求項１の巾木によれば、出隅部を有する壁部に取り付けられる巾木であって、前記壁部の下部面に沿って配設される複数の巾木部材と、前記出隅部に配設され、前記出隅部で前記巾木部材と当接する出隅部材と、を備え、前記出隅部材は、前記壁部に取り付けられたときに外部に露見する面がアール形状を有する第一部と、前記壁部と前記巾木部材とで露見が阻止される第二部と、を備えたことにより解決される。
【０００７】
このように、請求項１の巾木によれば、出隅部分の表面に現れる部分が面取りされてアール形状となっており、出隅部に物が衝突し出隅部が損傷したり、衝突した物が破損したりすることを防止することができると共に、壁部と巾木部材との間に狭持される第二部を備えているため、出隅部材の第二部が壁部と巾木部材との間に狭持されて固定される構成とすることができる。本発明に係る巾木は、物が出隅部材に衝突した場合でも、壁部と巾木部材との間に狭持されているため、出隅部の巾木の取り付け方向と逆の向きに力が加わっても、出隅部材が容易には出隅部から脱落せず、強固な構造を有する出隅構造を形成することが可能となる。
【０００８】
また、より詳しくは、請求項２のように、請求項１の要件に加え、前記第一部が、表面アール形状の第一面と、該第一面に連続し、前記巾木部材の端面にそれぞれ当接する第二の面及び第三の面と、を備え、前記第二部が、前記第三の面に面一であり、前記壁部に当接する第四の面と、前記第四の面に平行であり、且つ前記巾木部材のうち一方の巾木部材の裏面に当接する第五の面とを備えた構成にしている。
【０００９】
このように、請求項２の巾木によれば、第四の面が壁部、第五の面が巾木部材の裏面とそれぞれ当接している。この結果、出隅部材が壁部と巾木部材との間に狭持されて固定されることとなる。したがって、物が出隅部材に衝突した場合でも、この挟持力により出隅部材が壁面に固着されているため、出隅部材は容易には出隅部から脱落せず、強固な構造を有する出隅構造を形成することが可能となる。
【００１０】
また、請求項３のように、請求項２の要件に加え、前記壁部と前記巾木部材との間に更に覆い材を備えた出隅部に取り付けられる巾木とし、前記第二部が、前記第二の面と平行で且つ前記第四の面および第五の面と連続する第六の面を有し、前記第六の面が、前記壁部と前記巾木部材との間に設けられる覆い材の端面に当接するように構成するとよい。
【００１１】
このように、請求項３の巾木によれば、壁部と巾木部材との間に更に覆い材を備え、出隅部材の第二部が、この覆い材の端面に当接する第六の面を有して構成されている。出隅部材は壁部と巾木部材との狭持力により固定されているのみならず、覆い材の端面にも当接して固定されているため、出隅部材はより強固に出隅部に固定され、出隅部から更に脱落しにくくなる。
【００１２】
さらにまた、請求項４のように、請求項２または３の要件に加え、前記第五の面から貫入された固着部材により前記出隅部材は前記壁部に固定されるように構成するとよい。
【００１３】
このように、請求項４の巾木によれば、出隅部材と壁部とを固着する固着部材を出隅部材の第五の面から貫入している。第五の面上には巾木の一部が覆設されるので、第五の面から貫入している固着部材の釘目は外部から視認できなくなり、釘目が露見せず、見た目が美しく、外観が良好な出隅構造を形成することが可能となる。
【００１４】
上記課題は、請求項５の出隅部の巾木取付方法によれば、出隅部を有する壁部に巾木を取り付ける巾木取付方法であって、アール形状を有する面を出隅部材を配設する出隅部材配設工程と、該出隅部材配設工程の後で巾木部材を配設する巾木部材配設工程と、を備え、前記巾木部材配設工程は、前記出隅部材のアール形状を有する面を外部に露見させ、且つ、前記出隅部材の前記アール形状を有する面以外の部分を前記巾木部材で隠蔽する工程を含むことにより解決される。
【００１５】
また上記課題は、請求項６のように、請求項５の用件に加えて、前記出隅部材配設工程は、前記アール形状を有する面以外の部分を固着具によって壁部に固定してもよい。
【００１６】
上記請求項５の巾木取付方法によれば、容易に出隅部分に丸みを持たせ、且つ壁面に取り付けたときに脱落しにくく、更に取り付け時の釘目が露見しない外観が良好な巾木を取り付けることが可能となる。またより詳しくは、請求項６のように、巾木部材は、出隅部材のアール形状を有する面以外の部分を固着具によって壁部に固定している。この固着具の取付位置は巾木部材により覆設されるため、固着具が外部に露見せず、従って良好な外観を有する巾木取付構造を実現することが可能となる。
【発明の効果】
【００１７】
本発明の巾木及び出隅部の巾木取付方法によれば、アール形状の第一の面を有する出隅部材を用いているので、出隅部分を丸みを帯びた形状とすることができると共に、出隅部材は、巾木部材の裏面に当接する面を備えており、この面に固着部材が取着され、巾木部材で被覆されるように構成されているので、固着部材が露見することなく、見た目が美しく、良好な外観を保つことが可能となる。
また、出隅部材は、巾木部材と壁部との間に挟まれて固定されるので、容易には脱落することが無く、高い耐用性を得ることが可能となる。
【発明を実施するための最良の形態】
【００１８】
以下に、本発明の実施形態について図面を参照して説明する。なお、以下に説明する部材、配置等は、本発明を限定するものではなく、本発明の趣旨に沿って各種改変することができることは勿論である。
【００１９】
図１は本発明の一実施形態に係る出隅部材を示した斜視図、図２は図１の出隅部材を裏面側から見た斜視図、図３は本発明の一実施形態に係る巾木を壁面に施工した構造を説明する斜視図、図４は本発明の一実施形態に係る巾木の取付構造を説明する分解斜視図、図５は図３のＸ−Ｘ’断面図である。なお、本発明の理解を容易にするため、隠れ線を破線で示してある。
【００２０】
まず、本発明の一実施形態に係る壁部の構造について、図３および図４で示される巾木の施工状態を参照して説明する。本実施形態では、壁部としての柱１と、柱１を覆う石こうボード下地４，５とから構成されている例で説明する。巾木部材６，７は、柱１を覆う覆い材としての石こうボード下地４，５の下部で、石こうボード下地４，５を覆うようにそれぞれ取り付けられる。この巾木部材６，７間に出隅部材１０が配置される。
【００２１】
柱１は床面に対して略鉛直に設置されており、柱１の側面２および側面３を形成する平面は略直交している。柱１の側面２および側面３によって、本実施形態における壁部が形成されている。柱１の表面には、板状の石こうボード下地が取り付けられている。柱１の側面２には、石こうボード下地４が取り付けられる。
石こうボード下地４は、出隅部材１０の後述する上面１７、下面１８、第四の面１４，第五の面１５，第六の面１６で構成される部分に相当する部分が入り込めるように、切り欠き部４ａが形成されている。また、側面３には、石こうボード下地４と同じ幅を有する石こうボード下地５が取り付けられている。
【００２２】
石こうボード下地４の表面には、巾木部材６が取り付けられている。巾木部材６は、木材で形成される横板であり、石こうボード下地４の表面側、すなわち、柱１に当接する面と反対側の面で、床面に接する位置に接着剤などを用いて取り付けられている。本実施形態の巾木部材６は、上記きり欠き部４ａ及び出隅部材１０の後述する上面１７、下面１８、第四の面１４，第五の面１５，第六の面１６で構成される部分を覆って取り付けられる。また、石こうボード下地５の表面側には、巾木部材６と同じ形状の巾木部材７が取り付けられている。
【００２３】
本実施形態において使用する巾木部材６，７は、一般的な板状の巾木部材６，７である。このように本実施形態においては、出隅部材の形状に適合する特別な形状の巾木部材を用いる必要がなく、一般的な形状の巾木部材を使用することができるため、従来の巾木部材をそのまま用いることが可能であり、高い汎用性を備えている。
【００２４】
石こうボード下地４と石こうボード下地５とが突き合う部分で、後述する出隅部材１０の上面１７上には、図３及び図４で示すように、Ｒコーナー下地９が取り付けられる。Ｒコーナー下地９は、木材などで形成され、略直交する面９ａ，９ｂと、この面９ａ，９ｂの間にあり断面形状が円弧状をした曲面と、上面と、下面とから構成される。Ｒコーナー下地９は、石こうボード下地４と石こうボード下地５との隙間を埋める役割を果たすほか、両下地により形成される出隅部の形状を丸くすることで、コーナー部に物が当たる頻度を減少させ、また、物が衝突した場合にその物が破損することを防止する役割を果たしている。
【００２５】
本実施態様の出隅部材１０は、巾木部材６および７の間の隙間に、両部材にそれぞれ当接して配設されている。以下、本実施態様の出隅部材１０について、図１乃至図５を参照して詳細に説明する。
【００２６】
本実施態様の出隅部材１０は、この出隅部材１０の側面を形成する第一から第六の面、すなわち側面に露見するアール状の第一の面１１と、この第一の面１１と連続した第二の面１２と、前記第一の面１１と連続した第三の面１３と、この第三の面１３と同じ面で連続した第四の面１４と、前記第二の面１２と略直交して連続する第五の面１５と、この第五の面１５と略直交して連続する第六の面１６と、の六面を備え、この出隅部材１０の側面に、それぞれ連続する上面１７と、下面１８と、を有して構成されている。本実施形態に係る出隅部材１０は、巾木部材と同様に木材で形成されている。
【００２７】
第一の面１１は、横断面形状の外郭線が円弧形状をした曲面である。本実施形態では横断面の外郭線が中心角略９０度の円弧形状をしている。出隅部材１０が壁面に取り付けられたとき、第一の面１１は壁面の外側に面し露見するよう配置される。なお、巾木部材６，７の表面側６ｃ，７ｃにデザインなどを施した場合に、この巾木部材６，７の表面側デザインと連続した意匠を第一の面１１に施してもよい。このような意匠を施すことで、壁面に取り付けたときに、見た目に美しい、良好な外観を有する巾木を提供することが可能となる。
【００２８】
第二の面１２は、図１、図４及び図５で示すように、出隅部材１０を取り付けたとき、柱１の側面２と略直交し側面３と同じ面上になるように、第一の面１１と連続して形成されている。第二の面１２は方形形状をした平面であり、第二の面１２の横幅は、巾木部材６の端面の横幅とほぼ同じ幅をしている。第二の面１２は巾木部材６の端面６ｂと当接するよう配置される。
【００２９】
第三の面１３は、図２、図４及び図５で示すように、出隅部材１０を取り付けたとき、柱１の側面３と略直交し側面２に当接するように、第一の面１１と連続して形成される。第三の面１３と、第二の面１２は互いに略直交する位置関係にある。第三の面１３は方形形状をした平面であり、石こうボード下地５の端面５ｂおよび巾木部材７の端面７ｂと当接するよう配置される。
【００３０】
巾木部材６の端面６ｂの幅は、巾木部材６および石こうボード下地４のそれぞれの端面６ｂおよび４ｂの幅の合計の長さが、第二の面１２の横幅と第六の面１６の横幅の合計値と略同一となる範囲で任意に設定することができる。同様に、巾木部材７の端面７ｂの幅は、巾木部材７および石こうボード下地５のそれぞれの端面７ｂおよび５ｂの幅の合計の長さが、第三の面１３の幅と略同一となる範囲で任意に設定することができる。例えば、第三の面１３の横幅が２５ｍｍである場合、巾木部材７の横幅７ｂを１５ｍｍ、石こうボード下地５の端面５ｂの横幅を１０ｍｍとすることも可能となる。また、巾木部材６，７や石こうボード下地４，５をそれぞれ異なる厚さ・幅の部材を利用することができるのは勿論である。これにより、巾木部材として使用可能な部材のバリエーションが増加し、設計の自由度を確保することが可能となる。
【００３１】
第四の面１４は、第三の面１３と連続して同じ面に面一に形成されている。本実施態様の第四の面１４は方形形状をした平面であり、第四の面１４は、柱１の側面３に当接するよう配置される。本実施態様の第四の面１４は第三の面１３と連続しているが、第三の面１３と第四の面１４との境界に溝等を形成して、出隅部材１０の取り付け時における柱１の角部位置の位置決めや、接着剤等の塗布範囲の目安として、連続させなくてもよい。なお、溝の深さは任意に設定することができる。
【００３２】
第五の面１５は、方形形状をした平面であり、第二の面１２と略直交するように連続して且つ第四の面と平行に形成されている。第五の面１５は、石こうボード下地４の切り欠き部４ａで、石こうボード下地４の表面側、すなわち、柱１に当接する面と反対側の面、の面と面一になり、同時に巾木部材６の裏面と当接するよう配置される。
【００３３】
第六の面１６は、第四の面１４および第五の面１５と略直交し、連続して設けられ、第二の面１２と略平行な平面として形成されている。第六の面１６は、石こうボード下地４の切り欠き部４ａの下側（図４）端面４ｃと当接するように形成されている。第六の面１６の幅は石こうボード下地４の端面４ｃの幅と略同じ幅に形成されている。
【００３４】
次に、出隅部材１０の製造方法について説明する。本実施形態の出隅部材１０は、図１で示すように、２つの部材を結合することにより形成される。一つは、円柱部材を中心角略９０度で縦方向に略四等分した第一部１０ａであり、もう一つは、略直方体形状をした第二部１０ｂである。いずれの部材も木材を、のこぎりやヤスリを用いて加工することで形成される。
【００３５】
出隅部材１０は、両部材１０ａ，１０ｂの一方に接着剤等を塗布して両者を接着することで形成される。例えば、第二部１０ｂの側面に白ボンドなどの酢酸ビニル系接着剤を塗布して、第一部１０ａの切断面に当接することで固定する。このとき第一部１０ａの他の切断面と、第二部１０ｂの横方向と高さ方向とを含む端面とが同一平面を構成するように位置するように位置決めして接着する。なお、上記のように出隅部材１０を二つの部材から形成するのではなく、木材を図１に示す形状に切削して一部材として形成してもよい。また、本実施態様では出隅部材１０を木材で形成しているが、ポリプロピレン等を含む合成樹脂等によって一体成形することによって形成してもよい。巾木部材６，７の材質としては、例えば合成樹脂なども考慮して形成することが可能である。
【００３６】
次に、本実施態様に係る出隅部材１０を、柱１に取り付ける手順の一例について、図３及び図４を参照して説明する。
【００３７】
まず、石こうボード下地４を柱１の側面２に貼り付ける。石こうボード下地４の下部には、出隅部材１０の第二部１０ｂに対応する形状の切り欠き部４ａが形成されている。この切り欠き部４ａは、予め石こうボード下地４を製造するときに形成してもよく、或いは石こうボード下地４の一部を治具によって切除して、例えばヤスリで磨く等の端面処理を行うことにより、切り欠き部４ａを形成してもよい。
【００３８】
石こうボード下地４の裏面に塩化ビニル系接着剤を塗布して、柱１の側面２に密着させて、動かないように固定する。石こうボード下地４の取り付けを終了した後で、続いて石こうボード下地５を柱１の側面３に取り付ける。なお、石こうボード下地４と石こうボード下地５の取り付け順序は逆であってもよい。
【００３９】
次に、出隅部材１０の取り付けを行う。出隅部材１０の第四の面１４、好ましくは第六の面１６及び上面１７、に塩化ビニル系接着剤をそれぞれ塗布するが、第四の面１４の縁部および中央部に適当量の接着剤を塗布する。このとき第三の面１３と第四の面１４との境界に溝等を形成しておくと、接着剤の塗布範囲が容易になると共に、柱１の側面２との位置決めが容易となる。
【００４０】
次に、接着剤の塗布を行った後で、出隅部材１０の第四の面１４を柱１の側面２に密着させる。このとき、出隅部材１０の下面１８をフロアーラインに合わせ、出隅部材１０の第四の面１４と柱１の側面２とが当接する位置に出隅部材１０を位置決めする。
第六の面１６及び上面１７にも接着剤を塗布すると、切り欠き部４ａとの間でも接着剤による接合が可能となる。
石こうボード下地４の切り欠き部４ａと出隅部材１０の第四の面１４，第五の面１５，第六の面１６で構成される部分と嵌まり込むように、出隅部材１０を配置する。
この結果、出隅部材１０の第一部１０ａは、柱１の側面２及び石こうボード下地５の端面７ｂの幅より、第三の面１３の部分が突出して配置されることになる。
【００４１】
上記のような切り欠き部４ａに第二部１０ｂが入り込む状態にして、第四の面１４と柱１の側面２を密着させた後すぐに、固着具、本実施態様では複数の釘として２本の釘８を第五の面１５に対して略垂直に打設する。２本の釘８は第五の面１５の所定の場所にそれぞれ打設される。なお、固着具は釘でなくても、ビス、ねじその他の固着手段を用いることができる。
【００４２】
本実施態様で用いた釘８は、ネイリングマシーン、例えばベビーコンプレッサなどの加圧装置を接続したフィニッシュネイラーを用いて打ち付けられる。フィニッシュネイラーはベビーコンプレッサから供給される空気の圧力により釘８の釘頭を釘打して、壁面などに打ち込む装置である。釘８は、出隅部材１０を貫通して、先端が柱１の奥深くに位置するように打ち付けられる。
【００４３】
このとき、釘８は、第五の面１５の表面より内部に釘頭がめり込むように打設されることが好ましい。釘頭が第五の面１５の表面から突出していると、巾木部材６を第五の面１５に接着する際に釘頭が邪魔になり、出隅部材１０と巾木部材６とが密着しなくなるためである。
柱１の側面２と出隅部材１０の第四の面１４とは釘８により圧接され、同時に接着剤が塗布されているため、柱１の側面２と巾木部材６の裏面とが強固に固着される。
【００４４】
石こうボード下地４，５及び出隅部材１０の取り付けが終了すると、巾木部材６及び７の取り付けを行う。巾木部材６，７の裏面の縁部に沿って両面テープを貼付し、その内側に、例えば白ボンドのような接着剤をマス目状に塗布する。また、巾木部材６の端面６ｂ，７ｂにも接着剤を塗布する。巾木部材６の裏面が、石こうボード下地４の表面、すなわち、柱１に当接する面と反対側の面、と出隅部材１０の第五の面１５とで形成される面に当接するよう圧着される。このとき、巾木部材６の端面６ｂと出隅部材１０の第二の面１２とが当接するように圧着させる。また、巾木部材７の端面７ｂと出隅部材１０の第三の面１３とが当接するように圧着させる。
【００４５】
巾木部材６は出隅部材１０の第五の面１５を覆うように接着されるため、第五の面１５に打設された釘８の釘目が露見せず、外側から視認できないようになっている。このため、外部から釘目が見えないため、見た目の美しさを保持することができる。また、出隅部材１０は、固着具としての釘８で柱１と固定されていると同時に、柱１と巾木部材６とで狭持されているため、壁面から脱落しにくい。
【００４６】
更に、石こうボード下地４と石こうボード下地５の突き合う角部の隙間、つまり、出隅部材１０の上面１７上の端面４ｂと端面５ｂで形成される空間、を埋めるように、Ｒコーナー下地９を取り付ける。Ｒコーナー下地９の面９ａ，９ｂに、それぞれ酢酸ビニル系接着剤を塗布する。続いて、Ｒコーナー下地９の二つの端面がそれぞれの石こうボードの端面４ｂ，５ｂと当接するように、Ｒコーナー下地９を取り付ける。
なお、Ｒコーナー下地９ではなく、石こうボード下地４と石こうボード下地５との端面４ｂ，５ｂに、それぞれ酢酸ビニル系接着剤を塗布するようにしてもよい。
【００４７】
以上の工程により、出隅部材１０、石こうボード下地４，５、巾木部材６，７の柱１への施工が完了する。上記の部材を柱１に取り付けた後、壁面の保護や外観の美しさを向上させるため、石こうボード下地の表面に壁紙を貼付してもよい。
【００４８】
上記実施態様では、出隅部材１０より先に石こうボード下地４，５を柱１に取り付けた取り付け方法を示したが、石こうボード下地４，５よりも先に、出隅部材１０を取り付けるようにしても良い。この場合には、最初に出隅部材１０の取り付けを行う。出隅部材１０の第四の面１４に塩化ビニル系接着剤をそれぞれ塗布するが、第四の面１４の縁部および中央部に適当量の接着剤を塗布する。
【００４９】
次に、接着剤の塗布を行った後で、出隅部材１０の第四の面１４を柱１の側面２に密着させる。このとき、前記と同様に出隅部材１０の下面１８をフロアーラインに合わせ、出隅部材１０の第四の面１４と柱１の側面２とが当接する位置に出隅部材１０を位置決めする。この結果、出隅部材１０の第一部１０ａは、柱１の側面２及び石こうボード下地５の端面７ｂの幅より、第三の面１３の部分が突出して配置されることになる。次に、第四の面１４と柱１の側面２を密着させた後すぐに、前述と同様に、固着具により、出隅部材１０を柱１に固定する。そして、石こうボード下地４，５を柱１の側面２，３に貼り付ける。このとき、石こうボード下地４の切り欠き部４ａを、出隅部材１０の第二部１０ｂに合わせるようにして、取り付けることになる。
【００５０】
本実施形態に係る巾木は、通し柱，管柱，間柱や、間仕切りパネルなど出隅を有している構造物であればどのようなものについても適用可能である。また、本発明の巾木を取り付ける構造物も木材や石こうで形成されたものに限定されず、鉄骨など他の材料で形成されるものであってもよい。
【００５１】
出隅部材１０や巾木部材６，７を形成する材料としては、本実施形態のような木材に限定されず、硬質塩化ビニルなどのプラスチックやポリウレタンなどのゴムなどであってもよい。また、木材などで形成された心材にプラスチックやゴムをコーティングした複合材料であってもよい。
【図面の簡単な説明】
【００５２】
【図１】本発明の一実施形態に係る出隅部材の斜視図である。
【図２】図１の出隅部材を裏面側から見た斜視図である。
【図３】本発明の一実施形態に係る巾木を壁面に施工した状態を説明する斜視図である。
【図４】本発明の一実施形態に係る巾木の取り付け構造を説明する分解斜視図である。
【図５】図３のＸ―Ｘ’断面図である。
【図６】従来の巾木取付構造を示す説明図である。
【符号の説明】
【００５３】
１    柱（壁部）
２    側面（壁部）
３    側面（壁部）
４    石こうボード下地（覆い材）
４ａ    切り欠き部
４ｂ    端面
４ｃ    端面
５    石こうボード下地（覆い材）
５ｂ    端面
６    巾木部材
６ｂ    端面
６ｃ    表面
７    巾木部材
７ｂ    端面
７ｃ    表面
８    釘（固着部材）
９    Ｒコーナー下地
９ａ    端面
９ｂ    端面
１０    出隅部材
１０ａ    第一部
１０ｂ    第二部
１１    第一の面
１２    第二の面
１３    第三の面
１４    第四の面
１５    第五の面
１６    第六の面
１７    上面
１８    下面
３０    コーナー用巾木
３０ａ    表面角部
３１    巾木
３２    釘
【図１】
2006070500.tif 000003
【図２】
2006070500.tif 000004
【図３】
2006070500.tif 000005
【図４】
2006070500.tif 000006
【図５】
2006070500.tif 000007
【図６】
2006070500.tif 000008